(57)【要約】【課題】複数のフィン状管体からなるパネル内に封入された蓄熱性不燃性オイルを加熱し、その放熱により室内を暖房するオイルパネルヒータにおいて、予め設定した所望の室温を安定して維持することのでき、かつ暖房効率の高いオイルパネルヒータを提供する。【解決手段】少なくとも２つの上限温度の異なる運転モードを備え、温度センサによって測定される室温及びヒータ部の表面温度に基づいて、自動的にヒータ部への通電及び運転モードの切替えを行って通電制御を行うようにする。【選択図】図１
2009236455.tif 000002
【特許請求の範囲】
【請求項１】
パネル内に封入された不燃性オイルを加熱し、その放熱により室内を暖房するオイルパネルヒータにおいて、該不燃性オイルを通電により加熱する加熱手段と、加熱手段への通電を制御する制御部と、加熱手段の表面温度を検出する表面温度検出手段と、室温を検出する室温検出手段を有し、表面温度検出手段と室温検出手段による出力に基づいて加熱手段への通電を制御することを特徴とするオイルパネルヒータ。
【請求項２】
制御部は、加熱手段の上限温度が異なる少なくとも２つの運転モードを備え、室温検出手段から検出された室温の出力に基づいて自動的に運転モードを切替えながら通電制御を行うことを特徴とする請求項１記載のオイルパネルヒータ。
【請求項３】
前記オイルパネルヒータにおいて、電気回路内に過加熱防止手段を備え、加熱手段の表面温度が一定温度を超えた場合に該過加熱防止手段によって加熱手段への通電が停止されることを特徴とする請求項１又は２記載のオイルパネルヒータ。
【請求項４】
前記オイルパネルヒータにおいて、室温が設定温度より３℃低い温度となるよう暖房がなされる運転トモードと、室内の凍結を防止するための低温で暖房を行う運転モードとを備えていることを特徴とする請求項１〜３記載のオイルパネルヒータ。
【請求項５】
不燃性オイルに代えて、不凍液をパネル内に封入したことを特徴とする請求項１〜４記載のオイルパネルヒータ。
【発明の詳細な説明】
【技術分野】
【０００１】
本発明は、パネル内に封入された不燃性オイル又は不凍液をパネル内の底部に付設された電気ヒータ等により加熱し、該パネル全面からの放熱によって室内の暖房を行うオイルパネルヒータに関するものである。
【背景技術】
【０００２】
従来、上記のようなオイルパネルヒータは、複数のフィンを有するパネル体や平板状のパネル体からなり、その内部には不燃性オイルが封入されており、該不燃性オイルをパネル内の底部に付設された電気ヒータ等の加熱手段により加熱循環することで、不燃性オイルを熱媒体としたパネル全面からの放熱により室内の暖房を行うものとして知られている。
【０００３】
しかし、このような電気ヒータを加熱手段とした従来のオイルパネルヒータは、該電気ヒータへの通電を手動で制御することにより室内の温度を調整するため、室温の調整が難しく、予め設定された所望の室温を維持することは困難であるという問題があった。さらに、電気ヒータへの長時間の通電が必要となるため、電気ヒータ自体が加熱し過ぎてしまい、電気ヒータやその制御部の故障や火災の危険性等の問題があった。
【０００４】
最近では、パネルヒータに温度センサを設け、これにより室内の温度を測定するとともに、その測定された温度情報に基づいて電気ヒータへの通電を自動制御することにより室温を調整しようとするものも提案されているが、このようなオイルパネルヒータは、電気ヒータへの通電のＯＮ／ＯＦＦを制御することにより予め設定された所望の室温を維持しようとするものである。
【特許文献１】特開２００４−０５３２１３号公報
【特許文献２】特開平９−６０９００号公報
【発明の開示】
【発明が解決しようとする課題】
【０００５】
本発明は、上記問題点に鑑みてなされたものであり、本発明のオイルパネルヒータは、少なくとも電気ヒータの上限温度が異なる２つの運転モードを備え、温度センサによって検出された室温の出力に基づいて前記運転モードを自動的に切替えながら電気ヒータへの通電を制御することで、安定的な温度制御をするとともに、少ない消費電力でも熱効率のよい暖房を可能とし、また安全面においても優れたオイルパネルヒータを提供することを目的としている。
【課題を解決するための手段】
【０００６】
パネル内に封入された不燃性オイルを加熱し、その放熱により室内を暖房するオイルパネルヒータにおいて、不燃性オイルを通電により加熱する加熱手段と、加熱手段への通電を制御する制御部と、加熱手段の表面温度を検出する表面温度検出手段と、室温を検出する室温検出手段を有し、表面温度検出手段と室温検出手段による出力に基づいて加熱手段への通電を制御することを特徴とする。
【０００７】
また、制御部は、加熱手段の上限温度が異なる少なくとも２つの運転モードを備え、室温検出手段から検出された室温の出力に基づいて自動的に運転モードを切替えながら通電制御を行うことを特徴とする。
【０００８】
また、前記オイルパネルヒータにおいて、電気回路内に過加熱防止手段を備え、加熱手段の表面温度が一定温度を超えた場合に該過加熱防止手段によって加熱手段への通電が停止されることを特徴とする。
【０００９】
また、前記オイルパネルヒータにおいて、室温が設定温度より３℃低い温度となるよう暖房がなされる運転トモードと、室内の凍結を防止するための低温で暖房を行う運転モードとを備えていることを特徴とする。
【００１０】
尚、不燃性オイルに代えて、不凍液をパネル内に封入して暖房を行うこともできることを特徴としている。
【発明の効果】
【００１１】
本発明のオイルパネルヒータによれば、少なくとも２つの運転モードを有し、温度センサにより測定された室温に基づいて運転モードを自動的に選択し、電気ヒータへの通電を自動制御するため、予め設定した所望の室温を一定に維持することが可能である。
【００１２】
また、本発明のオイルパネルヒータは、電気回路内に過加熱防止手段を備えており、加熱手段の表面温度が所定の温度に達した場合は、該加熱防止手段が作動して通電が停止されるため、加熱手段の過加熱を防止し、火災等の危険を未然に防ぐ可能であり、安全性に優れている。
【発明を実施するための最良の形態】
【００１３】
以下、図面を参照して、本発明によるオイルパネルヒータの一実施形態を詳細に説明する。
【００１４】
図１は、本発明のオイルパネルヒータの一実施形態を示す概略斜視図であり、図２は、図１のオイルパネルヒータ１を示す概略断面図であり、図３は、図２の電気ヒータ部６を示す概略図である。
【００１５】
図１及び図２において、オイルパネルヒータ１は、放熱板として複数の管体３から形成されたパネル５と、ヒータ部６と、該電気ヒータ部６を収容する収容部４と、該収容部４上に設けられたコントローラ部２とから主要部が構成される。前記パネル５内には不燃性オイルが封入されており、電気ヒータ部６による加熱により前記不燃性オイルが加温されてパネル５内を循環することにより、パネル５表面からの放熱によって室内の暖房、すなわち輻射熱による暖房がなされる。尚、パネル５は、本実施形態の形状に限られず、複数のフィンを有する形状若しくは平板状のパネルであってもよい。
【００１６】
電気ヒータ部６は、図３に示すように、シーズヒータ９をＵ字型に折曲加工したものを発熱部として、該シーズヒータ部９が各端子部１６ａ、１６ｂにおいて制御部１０及び電源と接続されて電気回路が構成されており、電源から通電されることにより、シーズヒータ９が発熱するものである。また、制御部１０には、シーズヒータ９付近に設置されてパネル５内の不燃性オイルの温度を測定する温度センサ８が接続され、温度センサ８から検出された温度情報に基づいて通電が制御される。さらに、当該電気回路には過加熱防止手段としてフューズ７が設けられており、過負荷電流が流れた際には、自己溶断して電気回路が遮断されることになる。
【００１７】
尚、電気ヒータ部６はパネル５内の底部に設置されるが、シーズヒータ９は不燃性オイルが封入されたパネル５内に、端子部１６ａ、１６ｂはパネル５内と仕切られた収容部４の内部に設置される。前述のように電気ヒータ部６の発熱部をＵ字型に折曲加工したシーズヒータを使用することで、シーズヒータの径が小さくとも、発熱部の表面積を大きくすることが可能となり、従来のカートリッジヒータに較べてワット密度を低減することができる。
【００１８】
図４はコントローラ部２を示す正面図であり、コントローラ部２は、本発明のオイルパネルヒータ１の収容部４上に設置され、図4に示すように、該コントローラ部２は、表面に運転スイッチ１１、凍結モードスイッチ１２、ナイトモードスイッチ１３、設定温度調節つまみ１４、各運転時に点灯する各種の表示ランプ１５ａ〜ｂを備えているとともに、内部には前記スイッチ等からの信号により電気ヒータ部６への通電等を制御する制御部１０を有している。各スイッチを押すことで運転モードを選択し、設定温度調節つまみ１４を操作することで、室温を所望の温度に調節することができる。また、必要に応じ、時刻表示部を設けるとともに、タイマー機能を備えることも可能である。
【００１９】
図５は、制御部１０の構成を示すブロック図であり、制御部１０はコントロール部２内に組み込まれて、電気ヒータ６への通電制御や運転モードの切替えを制御するものである。この制御部１０は、電気ヒータに接続されるとともに、室温センサ、ヒータ表面の表面温度センサ、過剰センサの各種センサや、コントローラ部２のモードスイッチ、温度調節つまみ、表示部、時計それぞれと接続されている。本発明のオイルパネルヒータ１は、１次モードと2次モードの２つの運転モードを有しており、コントローラ部からの各スイッチ及び設定温度の入力による指示と、各センサによって検出される温度情報に基づいて、該制御部１０において自動的に運転モードを切替えて通電制御が行われる。特に本実施形態においては、1次モードとは、ヒータ部の設定表面温度を８０℃までとするモードであり、２次モードとは、ヒータ部の設定表面温度を６０℃までとするものであり、各モードにおいて、ヒータ部の表面温度が各設定温度でほぼ一定に維持されるようヒータ部への通電のＯＮ／ＯＦＦを断続的に行い、運転制御がなされるものである。
【００２０】
フューズ７は、過加熱防止手段として制御部１０と電気ヒータ部６とを接続している回路内に設けられており、ヒータの表面温度が過昇した場合（表面温度１００℃程度）に、自身が溶解することで当該回路を遮断してヒータ部６への通電を強制的に停止するものである。これにより、オイルパネルヒータ１の制御部等本体の故障を防止するとともに、安全を図ることができ、火災等の危険を未然に防止することができる。
【００２１】
図６は、本発明のオイルパネルヒータにおける制御部による制御方法を示すフローチャート図であり、これを参照して、本発明のオイルパネルヒータの運転動作について説明する。本実施形態においては、１次モードを８０℃、２次モードを６０℃としている。まず、運転スイッチ１１を押すと電源が入り、制御部１０において初期化がなされる。この時、温度調節つまみ１４により好みの設定温度を設定しておく。そして制御部１０において、室温センサによって室内の温度を検出し、これを基に設定温度と室温を比較する。比較の結果、設定温度が室温より高ければ、１次モードが始動し、電気ヒータ部６への通電が開始される。逆に設定温度が室温よりも低ければ、２次モードが始動し、同様に電気ヒータ部６への通電が開始される。
【００２２】
電気ヒータ部６に通電がなされると、シーズヒータ９が熱を発し、これによりパネル５内に封入された不燃性オイルが加温され、その熱がパネル５全体から放熱されることで室内の暖房が行われる。
【００２３】
各モードの運転中は、制御部１０において常に設定温度と室温との比較がなされ、その結果に応じて１次モード又は２次モードへの切替が自動的になされる。また、各モードの運転中は、表面温度センサにより常に電気ヒータ部６の表面温度も測定され、１次モードであれば電気ヒータ部６の表面温度が常に８０℃、２次モードであれば６０℃で一定の温度を保つように、通電制御がなされるとともに、もし当該表面温度が９０℃を超えた場合には、電気ヒータ部６への通電が自動的に停止される。
【００２４】
図７は、本実施形態における実験結果であって、設定温度を２４℃とした場合のヒータ部表面温度及び室温と経過時間との関係を示したグラフである。室温が２４℃以下の場合は、一次モードにより運転し、このときのヒータ部表面温度は８０℃である。その後、室温が２４℃を超えると、２次モードに自動的に切り替えられ、ヒータ部表面温度は６０℃まで下げられる。そして、室温が２４℃以下になると再度１次モードに自動的に切り替えられる。したがって、室温を設定温度付近で一定に維持することが可能である。このように、本発明によって、従来よりも少ない消費電力で、効率的な暖房効果を得ることが可能となる。
【００２５】
また、本実施形態におけるオイルパネルヒータ１は、ナイトモード機能を備えており、当該モードは、ナイトモードスイッチ１３をＯＮにすると、室温が設定温度より３℃程度低い温度で維持されるように制御がなされるものであり、例えば、就寝の時など、このナイトモードをＯＮにすると、それまで設定温度の２４℃程度であった室温が、２１℃程度で一定に保たれることになる。
【００２６】
さらに、本実施形態におけるオイルパネルヒータ１は、凍結防止モード機能を備えており、当該モードは、凍結防止モードスイッチ１２をＯＮにすると、室温が７℃程度で維持されるように制御がなされるものであり、深夜における室内の凍結を防止することが可能となる。
【００２７】
このように、本発明において、以上のような機能を備えることにより、一日中安全かつ効率的に本発明に係るオイルパネルヒータを使用することができ、しかも省エネを図ることが可能である。
【００２８】
以上、本実施形態においては、パネル内に封入される熱媒体を不燃性オイルとして説明したが、不燃性オイルに代えて不凍液を熱媒体としても本発明を実施できる。
【図面の簡単な説明】
【００２９】
【図１】本発明のオイルパネルヒータの一実施形態を示す概略斜視図である。
【図２】本発明のオイルパネルヒータの一実施形態を示す概略断面図である。
【図３】本発明のオイルパネルヒータにおける電気ヒータを示す概略図である。
【図４】本発明のオイルパネルヒータにおけるコントロール部の一実施形態を示す正面図である。
【図５】本発明のオイルパネルヒータにおける制御部の構成を示すブロック図である。
【図６】本発明のオイルパネルヒータにおける制御部による制御方法を示すフローチャート図である。
【図７】本実施形態におけるヒータ部表面温度及び室温と経過時間との関係を示したグラフである
【符号の説明】
【００３０】
１    オイルパネルヒータ  
２    コントローラ部  
３    管体
４    ヒータ収容部
５    パネル
６    電気ヒータ部  
７    フューズ
８    温度センサ
９    シーズヒータ
１０    制御部  
１１    運転スイッチ  
１２    凍結モードスイッチ  
１３    ナイトモードスイッチ
１４    設定温度調整つまみ
１５ａ〜１５ｅ    表示ランプ
１６ａ、１６ｂ    端子部
【図１】
2009236455.tif 000003
【図２】
2009236455.tif 000004
【図３】
2009236455.tif 000005
【図４】
2009236455.tif 000006
【図５】
2009236455.tif 000007
【図６】
2009236455.tif 000008
【図７】
2009236455.tif 000009